(57)【要約】【課題】外観意匠を維持しつつフェンス同士の連結および解除を簡単に行うことができるフェンスの連結具およびフェンスを提供すること。【解決手段】フェンスの連結具１０は、上胴縁３の端部にスライド挿入可能な本体部１１と、連結具１０をスライド方向に移動させるための送りネジ７がスライド方向に沿った複数箇所で着脱可能に本体部１１に形成された係合部２１とを有する。係合部２１は、Ｘ軸方向に沿った本体部１１の側片部１２の外面から延出した一対の係合片部２２，２３を有する。係合片部２２，２３によってスライド方向に沿った溝部２５が形成される。【選択図】図３
2020172753.tif 000002
【特許請求の範囲】
【請求項１】
中空形材によって形成される胴縁を備えたフェンス同士を連結する連結具であって、
前記胴縁の端部にスライド挿入可能な本体部と、前記連結具をスライド方向に移動させるための送り軸具が前記スライド方向に沿った複数箇所で着脱可能に前記本体部に形成された係合部とを有している
ことを特徴とするフェンスの連結具。
【請求項２】
請求項１に記載のフェンスの連結具において、
前記送り軸具は送りネジであり、
前記係合部は、前記スライド方向に沿った溝部を形成する一対の係合片部を有し、
前記一対の係合片部は、前記溝部にネジ込まれる前記送りネジに螺合可能に配置されている
ことを特徴とするフェンスの連結具。
【請求項３】
請求項１に記載のフェンスの連結具において、
前記係合部は、前記スライド方向に沿って間隔を隔てて配置された複数の孔部を有している
ことを特徴とするフェンスの連結具。
【請求項４】
請求項１から請求項３のいずれか一項に記載のフェンスの連結具において、
前記本体部は前記スライド方向に沿った一対の側片部を有し、
前記係合部は、前記一対の側片部のうちの双方または一方に形成されている
ことを特徴とするフェンスの連結具。
【請求項５】
フェンス本体と、前記フェンス本体に取り付けられた中空形材によって形成される胴縁とを備えた複数のフェンスと、前記複数のフェンス同士を連結する請求項１から請求項４のいずれか一項に記載の連結具とを備え、
前記胴縁の長手方向における少なくとも一方の端部には、前記送り軸具が挿通可能に前記連結具のスライド方向に沿った長孔が形成されている
ことを特徴とするフェンス。
【発明の詳細な説明】
【技術分野】
【０００１】
本発明は、フェンスの端部同士を連結するフェンスの連結具およびフェンスに関する。
【背景技術】
【０００２】
従来、パネルおよび笠木、下弦材などの中空形材を備えたフェンス同士を連結する連結具が知られている（特許文献１参照）。連結具は、左右方向に並設されるフェンスの左右の中空形材の内部に架け渡され、且つ、固定ネジによって左右の中空形材に固定されている。左右一方の中空形材にはその長手方向に沿った長孔が形成されており、長孔にはガイド用ネジが貫通し、このガイド用ネジが連結具に固定されている。
この連結具は、固定ネジを外すことで、長孔に沿って左右一方の中空形材の内部に引き込み可能であり、連結具を中空形材の内部に引き込むことで、連結具を左右他方の中空形材から抜き出すことができる。これにより、左右方向に並設されるフェンスのうちの一つを、連結具が引掛かることなく取り外すことが可能である。
【先行技術文献】
【特許文献】
【０００３】
【特許文献１】特開２０１３−１１３０６６号公報
【発明の概要】
【発明が解決しようとする課題】
【０００４】
ところで、特許文献１に記載の連結具には、ガイド用ネジが連結具に対して相対的に移動しないように特定位置に固定されており、ガイド用ネジは長孔の長さ寸法分だけ移動可能である。このため、左右の中空形材に架け渡された連結具を左右一方の中空形材の内部に引き込むために必要な移動距離に対応した長さ寸法をもって長孔を形成する必要があるが、長孔の長さ寸法があまり大きくなると外観意匠を損なうおそれがある。
【０００５】
本発明は、外観意匠を維持しつつフェンス同士の連結および解除を簡単に行うことができるフェンスの連結具およびフェンスを提供することを目的とする。
【課題を解決するための手段】
【０００６】
本発明のフェンスの連結具は、中空形材によって形成される胴縁を備えたフェンス同士を連結する連結具であって、前記胴縁の端部にスライド挿入可能な本体部と、前記連結具をスライド方向に移動させるための送り軸具が前記スライド方向に沿った複数箇所で着脱可能に前記本体部に形成された係合部とを有していることを特徴とする。
本発明のフェンスは、フェンス本体と、前記フェンス本体に取り付けられた中空形材によって形成される胴縁とを備えた複数のフェンスと、前記複数のフェンス同士を連結する前述した本発明の連結具とを備え、前記胴縁の長手方向における少なくとも一方の端部には、前記送り軸具が挿通可能に前記連結具のスライド方向に沿った長孔が形成されていることを特徴とする。
【発明の効果】
【０００７】
本発明によれば、外観意匠を維持しつつフェンス同士の連結および解除を簡単に行うことができるフェンスの連結具およびフェンスを提供することができる。
【図面の簡単な説明】
【０００８】
【図１】本発明の第１実施形態に係る連結具を用いたフェンスを示す斜視図。
【図２】第１実施形態に係る連結具を収容したフェンスの胴縁を示す斜視図。
【図３】第１実施形態に係る連結具を示す説明図。
【図４】第１実施形態に係る連結具を収容したフェンスへの取替手順を示す説明図。
【図５】第１実施形態に係る連結具を用いた胴縁の連結手順を示す説明図。
【図６】本発明の第２実施形態に係る連結具を示す説明図。
【発明を実施するための形態】
【０００９】
［第１実施形態］
以下、本発明の第１実施形態を図面に基づいて説明する。
図１において、第１実施形態に係る連結具１０は、隣り合うフェンス１（１Ａ〜１Ｃ）同士を連結するものである。
以下の説明において、フェンス１の左右方向をＸ軸方向とし、フェンス１の上下方向をＹ軸方向とし、フェンス１の見込み方向をＺ軸方向とする。連結具１０については、フェンス１の連結状態における設置向きに基づいて説明する。Ｘ，Ｙ，Ｚ軸方向は互いに直交する。
【００１０】
フェンス１は、各種の格子やパネルなどによって構成されたフェンス本体２と、フェンス本体２の上下縁部にＸ軸方向に沿って取り付けられた胴縁、本実施形態では上胴縁３および下胴縁４とを備えており、各上胴縁３および各下胴縁４は図示しない支柱に取り付けられている。説明の便宜上、フェンス１Ａ，１Ｃは既設フェンスであり、フェンス１Ｂは既設フェンスと取り替えた新設フェンスとしており、各連結具１０は、フェンス１Ａ，１Ｂの上胴縁３同士および下胴縁４同士を連結し、且つ、フェンス１Ｂ，１Ｃの上胴縁３同士および下胴縁４同士を連結している。なお、フェンス１Ａの上胴縁３および下胴縁４の図１における右端とフェンス１Ｃの上胴縁３および下胴縁４の図１における左端とには端部キャップ５が取り付けられている。
上胴縁３および下胴縁４は、アルミ押出形材によって形成された中空形材によってそれぞれ構成されている。上胴縁３は、図２に示すように、上片部３１、下片部３２および一対の側片部３３を有して筒状に形成されている。フェンス１Ｂの上胴縁３では、側片部３３の両端部にＸ軸方向に沿った長孔３５が形成されている。本実施形態における長孔３５の長さ寸法は１０ｍｍである。また、フェンス１Ａ，１Ｃの上胴縁３では、側片部３３の両端部に固定ネジ６が挿通される固定孔が形成されている。なお、下胴縁４は、上胴縁３と概略同様に形成されて上下逆向きに配置されているので、その詳細な説明を省略する。
【００１１】
連結具１０は、本実施形態では合成樹脂製であるが、ダイカスト製などの各種材料によって形成されていてもよく、また、押出形材であってもよい。連結具１０は、図１に一点鎖線で示すように左右の上胴縁３同士を連結する連結具１０Ａと、左右の下胴縁４同士を連結する連結具１０Ｂとがある。連結具１０Ａ，１０Ｂは同様に形成されていると共に互いに上下逆向きに配置されている。以下、連結具１０Ａについて詳細に説明し、連結具１０Ｂについては図に同符号を適宜付す。
図３（Ａ）では連結具１０（１０Ａ）の斜視図を示しており、図３（Ｂ）では連結具１０（１０Ａ）を上胴縁３の端部に配置した状態の図を示している。連結具１０Ａは、上胴縁３の端部にＸ軸方向に沿ってスライド挿入可能な本体部１１と、連結具１０Ａをスライド方向（Ｘ軸方向）に移動させるための送り軸具としての送りネジ７が係合可能な係合部２１とを有している。送りネジ７は段付きネジであってもよい。
本体部１１は、図３（Ａ）に示すように、Ｘ軸方向に沿った一対の側片部１２と、一対の側片部１２の上端に連続した上片部１３と、上片部１３よりも下方位置において一対の側片部１２に連続した下片部１４とを有している。上片部１３のＸ軸方向における中央位置には、後述するカバー片９の位置決め凸部９Ａが挿入される位置決め凹部１５が形成されている。
係合部２１は、本体部１１の一対の側片部１２の双方に形成されている。係合部２１は、一対の側片部１２の外面からＺ軸方向に延出した上下一対の係合片部２２，２３を有している。
上側の係合片部２２は、側片部１２の上端から延出しており、上片部１３とともに上面１６を形成している。係合片部２２の側縁部２２１は下方に延出している。下側の係合片部２３は、上片部１３および下片部１４間の位置において側片部１２からＺ軸方向に延出している。係合片部２３の側縁部２３１は上方に延出している。側縁部２２１，２３１のＹ軸方向における間隔の寸法Ｗは、送りネジ７が側縁部２２１，２３１に螺合可能となる寸法に設定されており、例えば送りネジ７の軸部の径寸法が４ｍｍであれば、寸法Ｗはネジ代を考慮して３．５ｍｍ程度に設定される。この係合部２１では、側縁部２２１，２３１のＹ軸方向における対向面によってＸ軸方向に沿った溝部２５が形成されている。
【００１２】
以下、左右に並設された既設フェンスのうちの一つのフェンス１Ｆを取り替える取替手順について説明する。
図４（Ａ）において、取替対象のフェンス１Ｆは左右のフェンス１Ａ，１Ｃに汎用の連結具１００によって連結されている。この各連結具１００を矢印８で示す位置でカッター等によって切断し、切断することでフェンス１Ｆとフェンス１Ａ，１Ｃとの連結を解除する。
次に、図４（Ｂ）に示すように、フェンス１Ｆをフェンス１Ａ，１Ｃ間から取り外し、フェンス１Ａ，１Ｃから連結具１００の残存部分を取り外す。なお、図４（Ｂ）ではフェンス１Ｆからも連結具１００の残存部分を取り外しているが、取り外さなくてもよい。
次に、図４（Ｃ）に示すように、新たなフェンス１Ｂをフェンス１Ａ，１Ｂ間に配置する。図４（Ｃ）において、フェンス１Ｂの上胴縁３の両端部には、連結具１０がそれぞれ収容されている。なお、図示しないが下胴縁４の両端部にも連結具１０がそれぞれ収容されている。
【００１３】
次に、各連結具１０をスライド移動してフェンス１Ｂをフェンス１Ａ，１Ｃに連結する。図５ではフェンス１Ｂの上胴縁３をフェンス１Ａの上胴縁３に連結する手順を示している。上胴縁３同士の連結手順は次の通りである。
先ず、送りネジ７を上胴縁３の長孔３５のうち当該上胴縁３のＸ軸方向における中央側の内側端部に差し込んで連結具１０の係合片部２２，２３間にネジ込んで螺合させ、図２に示す状態とする。
次に、送りネジ７のスライド操作によって連結具１０をＸ軸方向にスライド移動させて図３（Ｂ）に示すように上胴縁３の端部から突出させる。送りネジ７が長孔３５の内側端部とは反対側の外側端部までスライド操作された後、送りネジ７を係合片部２２，２３から取り外し、長孔３５の内側端部に配置し、再び係合片部２２，２３間にネジ込んで螺合させる。続いて、送りネジ７をスライド操作して連結具１０を更にスライド移動させる。このように係合部２１のＸ軸方向における任意箇所（複数箇所）には送りネジ７が着脱可能である。本実施形態では、このスライド移動を三回繰り返し、連結具１０を上胴縁３の端部から突出する方向に３０ｍｍ移動させる。これにより、連結具１０は、当該上胴縁３に隣り合う上胴縁３の端部に挿入されて所定の連結位置に配置される。このとき、連結具１０の位置決め凹部１５は互いに隣り合う上胴縁３間に配置される。
次に、図５（Ｂ）に示すように固定ネジ６を隣り合う上胴縁３の固定孔に挿入し、連結具１０の係合片部２２，２３（図３（Ａ）参照）間にネジ込んで螺合固定し、且つ、送りネジ７を取り外して固定ネジ６を上胴縁３の長孔３５に挿入し、連結具１０の係合片部２２，２３間にネジ込んで螺合固定する。
次に、図５（Ｃ）に示すように、カバー片９を上胴縁３間において連結具１０に装着する。このとき、位置決め凸部９Ａは位置決め凹部１５に挿入される。図５（Ｄ）に示すようにカバー片９が装着されることで、上胴縁３同士が連結した連結状態とされる。図５（Ｄ）では、上胴縁３の長孔３５の内側端部に固定ネジ６が配置されているが、これに限らず、固定ネジ６を長孔３５の外側端部に配置してもよい。
なお、下胴縁４同士も前述した上胴縁３同士の連結手順と同様の連結手順で連結される。
このようにして、フェンス１Ａ，１ＣをＸ軸方向に移動させたりせずにフェンス１Ｆをフェンス１Ｂに簡単に取り替えることができる。
【００１４】
また、フェンス１Ｂを取り外す場合には、各連結具１０から固定ネジ６を取り外し、長孔３５に送りネジ７を差し込んで連結具１０に係合し、送りネジ７をＸ軸方向に繰り返しスライド移動させて連結具１０を上胴縁３の端部に収容する。このようにすることで、フェンス１Ａ，１ＣをＸ軸方向に移動させたりせずにフェンス１Ｂを取り外すことができる。
【００１５】
[第２実施形態]
以下、本発明の第２実施形態を図面に基づいて説明する。
図６において、第２実施形態に係る連結具５０は、一対の係合片部２２，２３を有した係合部２１に代えて、Ｘ軸方向に沿った複数の孔部５２を有した係合部５１を有している点で、第１実施形態に係る連結具１０の構成と異なっており、この点を除く構成は連結具１０の構成と概略同様である。図６（Ａ）では、連結具５０の斜視図を示しており、図６（Ｂ）では連結具５０を上胴縁３の端部に配置した状態の図を示している。
連結具５０の本体部１１における一対の側片部１２は、連結具１０の一対の側片部１２と形状が異なっており、図６（Ａ）に示すように、下側の内側部５６と、内側部５６からＺ軸方向に延出した延出部５７と、延出部５７の外側縁に連続した上側の外側部５８とを有している。
複数の孔部５２は、外側部５８に対してＸ軸方向に沿って等間隔を隔てて配置されており、本実施形態では、前述した長孔３５の長さ寸法に対応して１０ｍｍの等間隔を隔てて配置されている。複数の孔部５２は外側部５８を貫通し、外側部５８の外面および内面で開口している。この複数の孔部５２はネジ孔部（螺合孔部）として構成されている。
このように構成された第２実施形態の連結具５０においても、複数の孔部５２に対する送りネジ７の螺合および取外しを繰り返すことで、第１実施形態と同様に連結具１０をＸ軸方向にスライド移動させることができて、フェンス１Ｂをフェンス１Ａ，１Ｃに連結することができる。また、固定ネジ６を孔部５２に螺合固定することで上胴縁３（下胴縁４）に連結具１０を固定できる。このように係合部５１のＸ軸方向における複数箇所には送りネジ７が着脱可能である。
【００１６】
[変形例]
第１、第２実施形態では、長孔３５の長さ寸法を１０ｍｍとしたが、連結具１０を胴縁から突出させるべき突出寸法（３０ｍｍ）よりも短い長さ寸法であればよい。従って、長孔３５の長さ寸法は１０ｍｍよりも長くてもよく、また、短くてもよい。
第１、第２実施形態では、係合部２１，５１は、連結具１０，５０の一対の側片部１２の双方に形成されているが、一方の側片部１２だけに形成されていてもよい。この場合、上胴縁３および下胴縁４の長孔３５は、一方の側片部３３だけに形成されていればよい。
第１、第２実施形態では、フェンス１Ｂの上胴縁３および下胴縁４の両端部に長孔３５が形成されているが、例えばフェンス１を新設する場合には、上胴縁３および下胴縁４の一方の端部に長孔３５が形成され、且つ、他方の端部に固定孔が形成されたフェンスを複数並設し、これらを連結具１０，５０によって連結してもよい。
第２実施形態では、ネジ部のある複数の孔部５２に送りネジ７が螺合する構成を説明したが、これに限らず、例えば、ネジ部のない複数の孔部にネジ部のない送り軸具としての軸ピンを差し込み係合する構成とされてもよく、この場合でも、送り軸具のスライド操作によって連結具５０をＸ軸方向にスライド移動させることができる。
【００１７】
[本発明のまとめ]
本発明のフェンスの連結具は、中空形材によって形成される胴縁を備えたフェンス同士を連結する連結具であって、前記胴縁の端部にスライド挿入可能な本体部と、前記連結具をスライド方向に移動させるための送り軸具が前記スライド方向に沿った複数箇所で着脱可能に前記本体部に形成された係合部とを有していることを特徴とする。
本発明のフェンスの連結具によれば、送り軸具を胴縁に形成された長孔に通して係合部に係合させることで、連結具を胴縁の長手方向にスライド操作可能な状態にでき、送り軸具のスライド操作によって連結具を胴縁の端部から突出させることで、隣り合うフェンスの胴縁同士を連結できる一方、送り軸具のスライド操作によって連結具を胴縁の端部に引き込むことでフェンスの胴縁同士の連結を解除できて、取替対象のフェンスだけを簡単に取外し可能な状態にできる。
更に、係合部がスライド方向に沿った複数箇所で送り軸具と着脱可能に形成されているので、送り軸具のスライド操作によって連結具をスライド移動させ、次に、送り軸具を係合部から外し、スライド方向に異なる位置で再び係合部に係合し、送り軸具のスライド操作によって連結具を更にスライド移動させることができる。このようにスライド移動を繰り返すことで、胴縁に形成された長孔の長さ寸法に制約されることなく、連結具のスライド移動距離を伸ばすことができる。このため、胴縁に形成される長孔の長さ寸法を小さくでき、フェンスの外観意匠を維持できる。
【００１８】
本発明のフェンスの連結具では、前記送り軸具は送りネジであり、前記係合部は、前記スライド方向に沿った溝部を形成する一対の係合片部を有し、前記一対の係合片部は、前記溝部にネジ込まれる前記送りネジに螺合可能に配置されていてもよい。
このような構成によれば、連結具のスライド方向に沿った溝部の任意位置に送りネジをネジ込んで一対の係合片部と係合させることができる。
【００１９】
本発明のフェンスの連結具では、前記係合部は、前記スライド方向に沿って等間隔を隔てて配置された複数の孔部を有していてもよい。
このような構成によれば、複数の孔部がスライド方向に間隔を隔てて配置されているので、前述した順繰りのスライド移動において連結具の胴縁に対する移動距離を容易に把握できる。
【００２０】
本発明のフェンスの連結具では、前記本体部は前記スライド方向に沿った一対の側片部を有し、前記係合部は、前記一対の側片部のうちの双方または一方に形成されていてもよい。
係合部が一対の側片部のうちの双方に形成されている場合には、一対の係合部に送り軸具をそれぞれ係合させて連結具をスライド移動できるので、係合部が一対の側片部のうちの一方だけに形成されている場合と比べて、連結具にモーメントが生じにくく、このモーメントに起因してスライド抵抗が増えるおそれを低減できる。
係合部が一対の側片部のうちの一方だけに形成されている場合には、双方に形成されている場合と比べて、胴縁のうち一方の側片部に合わさる部分だけに長孔を形成すればよく、他方の側片部に合わさる部分に長孔を形成する必要をなくすことができる。また、使用する送り軸具も一つでよいので、送り軸具を用いた連結具のスライド移動の作業を簡略化できる。
【００２１】
本発明のフェンスは、フェンス本体と、前記フェンス本体に取り付けられた中空形材によって形成される胴縁とを備えた複数のフェンスと、前記複数のフェンス同士を連結する前述した本発明の連結具とを備え、前記胴縁の長手方向における少なくとも一方の端部には、前記送り軸具が挿通可能に前記連結具のスライド方向に沿った長孔が形成されていることを特徴とする。
本発明のフェンスによれば、前述した本発明の連結具の作用効果と同様の作用効果を発揮可能なフェンスを構成できる。
【符号の説明】
【００２２】
１，１Ａ〜１Ｃ，１Ｆ…フェンス、２…フェンス本体、３…上胴縁（胴縁）、４…下胴縁（胴縁）、５…端部キャップ、６…固定ネジ、７…送りネジ（送り軸具）、８…矢印、９…カバー片、９Ａ…位置決め凸部、１０（１０Ａ，１０Ｂ），５０，１００…連結具、１１…本体部、１２，３３…側片部、１３，３１…上片部、１４，３２…下片部、１５…位置決め凹部、１６…上面、２１，５１…係合部、２２，２３…係合片部、２２１，２３１…側縁部、２５…溝部、３５…長孔、５１…係合部、５２…孔部、５６…内側部、５７…延出部、５８…外側部、Ｗ…寸法。
【図１】
2020172753.tif 000003
【図２】
2020172753.tif 000004
【図３】
2020172753.tif 000005
【図４】
2020172753.tif 000006
【図５】
2020172753.tif 000007
【図６】
2020172753.tif 000008